(57)【特許請求の範囲】
【請求項１】
棒状の操作杆の端部に、前記操作杆の軸方向に対してほぼ垂直でかつ同一方向に延びる２つの挟持脚が設けられ、ハンドルを２つの前記挟持脚で挟んで前記操作杆を回動させて前記ハンドルを回すウィルキーであって、
前記挟持脚が円錐状に形成されて、前記挟持脚間の距離が前記操作杆側から自由端側に向かって長くなることで、大きさが異なるハンドルを２つの前記挟持脚で挟持可能となっている、
ことを特徴とするウィルキー。
【請求項２】
前記挟持脚の側面に、凸状で、前記操作杆を回動させた際に前記ハンドルの下部に位置して、前記挟持脚が前記ハンドルから外れるのを抑制する抜け止め部が設けられている、
ことを特徴とする請求項１に記載のウィルキー。
【請求項３】
前記挟持脚の自由端側でハンドルを挟んだ状態で、該ハンドルを回すのに要するトルクが得られるように前記操作杆の長さが設定されている、
ことを特徴とする請求項１または２のいずれか１項に記載のウィルキー。
【発明の詳細な説明】
【技術分野】
【０００１】
この発明は、ハンドルを回すために使用するウィルキーに関し、特に、大きさが異なる複数のハンドルに対応可能なウィルキーに関する。
【背景技術】
【０００２】
燃料配管や配水管、蒸気配管などに設置されている弁のハンドルを回して弁を開閉する際に、狭い場所でのハンドルの回転操作を容易にしたり、より大きな力をハンドルに与えたりするために、ウィルキーが使用される場合がある。このウィルキーは、図６に示すように、棒状の操作杆１０１の一端部に、操作杆１０１に対してほぼ垂直に延びる２つの挟持脚１０２、１０３が、互いに対向するように設けられている。そして、例えば、図７に示すようなハンドル１０４に対して、次のようにして使用する。すなわち、ハンドル１０４の円環部１０４ａと直線部１０４ｂとの接合部１０４ｃを挟持脚１０２、１０３で挟み、操作杆１０１を回す。これにより、ハンドル１０４が回転し、ハンドル１０４が設けられた弁１０５が開閉するものである。
【０００３】
ところで、ハンドル１０４には、いろいろな大きさのものが存在し、ハンドル１０４の円環部１０４ａの直径や太さなどは、弁１０５の種類や大きさなどに応じて設定されている。このため、挟持脚１０２、１０３間の距離がハンドル１０４の大きさや形状に適合した、ウィルキーを選択して使用する必要がある。しかしながら、ハンドル１０４の大きさや形状は作業現場に行ってわかることが多く、作業現場に持参したウィルキーがハンドル１０４に適合しない場合がある。この場合、適合するウィルキーを再度持参しなければならならず、時間と労力とを要する。また、例えば、ウィルキーが小さい場合に、持ち手に衝撃を与えてハンドル１０４を回そうとして弁１０５を損傷させたり、力を加えた際にウィルキーがハンドル１０４から外れて怪我をしたりするおそれがある。
【０００４】
そこで、大きさが異なる複数のハンドルに対応可能なウィルキーが知られている（例えば、特許文献１参照。）。このウィルキーは、棒状の操作杆に、この操作杆から延長された固定脚と、操作杆に沿ってスライド自在に装着され固定脚に対して前進、後退可能な可動脚とが設けられている。さらに、固定脚と可動脚とが、操作杆から外側に拡がる末広がり形状となっている。そして、ハンドルの大きさに合わせて可動脚をスライドさせてボルトで仮止めし、固定脚と可動脚とによってハンドルを挟持した状態で操作杆を回すことで、ハンドルを回転させることができる、というものである。
【先行技術文献】
【特許文献】
【０００５】
【特許文献１】実開平０６−１７８７４号公報
【発明の概要】
【発明が解決しようとする課題】
【０００６】
ところで、ハンドルを回すのに大きな力、トルクを要する場合があるが、上記特許文献１に記載のウィルキーでは、可動脚を操作杆にボルトで仮止めしているため、操作杆を回した際に、ボルトが緩んで可動脚が移動してしまうおそれがある。そして、可動脚が移動してしまうと、固定脚と可動脚とでハンドルを適正に挟持できなくなり、操作杆を回している力が抜けて、操作杆を把持している作業者などが振り回されてしまう。また、このようなウィルキーでは、ハンドルを回転させる度に、ハンドルの大きさや形状に合わせて可動脚をスライドさせてボルトで仮止めしなければならないため、時間と労力とを要する。
【０００７】
そこで本発明は、複数の大きさのハンドルに対応することができ、しかも、ハンドルを安定して回すことが可能なウィルキーを提供することを目的とする。
【課題を解決するための手段】
【０００８】
上記課題を解決するために、請求項１の発明は、棒状の操作杆の端部に、前記操作杆の軸方向に対してほぼ垂直でかつ同一方向に延びる２つの挟持脚が設けられ、ハンドルを２つの前記挟持脚で挟んで前記操作杆を回動させて前記ハンドルを回すウィルキーであって、前記挟持脚が円錐状に形成されて、前記挟持脚間の距離が前記操作杆側から自由端側に向かって長くなることで、大きさが異なるハンドルを２つの前記挟持脚で挟持可能となっている、ことを特徴とする。
【０００９】
この発明によれば、大きいハンドルに対しては、挟持脚間の距離が大きい挟持脚の自由端側で挟持し、小さいハンドルに対しては、挟持脚間の距離が小さい挟持脚の操作杆側（根元側）で挟持する。
【００１０】
請求項２の発明は、請求項１に記載のウィルキーにおいて、前記挟持脚の側面に、凸状で、前記操作杆を回動させた際に前記ハンドルの下部に位置して、前記挟持脚が前記ハンドルから外れるのを抑制する抜け止め部が設けられている、ことを特徴とする。
【００１２】
請求項３の発明は、請求項１または２に記載のウィルキーにおいて、前記挟持脚の自由端側でハンドルを挟んだ状態で、該ハンドルを回すのに要するトルクが得られるように前記操作杆の長さが設定されている、ことを特徴とする。
【発明の効果】
【００１３】
請求項１の発明によれば、ハンドルを挟む挟持脚の位置を変えるだけで、１つのウィルキーで複数の大きさのハンドルに対応することができる。そして、挟持脚を動かす必要がないため、ハンドルを安定して回すことが可能で、しかも、容易かつ迅速に大きさが異なるハンドルに対応することができ、使い勝手がよい。また、挟持脚間の距離が操作杆側から自由端側に向かって長くなっているだけであるため、構成が簡易で製造費を軽減することができ、しかも、堅牢、丈夫である。
【００１４】
請求項２の発明によれば、挟持脚がハンドルから外れるのを抑制する抜け止め部が設けられているため、大きな力、トルクで操作杆を回動させても、挟持脚がハンドルから外れずにハンドルを安定して回すことが可能となる。
【００１５】
また、請求項１の発明によれば、挟持脚が円錐状に形成されているため、挟持脚をハンドルに押し入れるだけで、ハンドルの大きさに応じた位置で２つの挟持脚がハンドルを挟み、容易かつ迅速に大きさが異なるハンドルに対応することができ、使い勝手がよい。しかも、挟持脚をハンドルに押し込むことで、挟持脚がハンドルを強固に挟むため、挟持脚がハンドルから外れずにハンドルを安定して回すことが可能となる。また、挟持脚が円錐状に形成されているだけであるため、構成が簡易で製造費を軽減することができ、しかも、堅牢、丈夫である。
【００１６】
請求項３の発明によれば、挟持脚間の距離が大きい挟持脚の自由端側でハンドルを挟んだ状態、つまり、大きなハンドルを挟んだ状態で、このハンドルを回すのに要するトルクが得られるように操作杆の長さが設定されている。すなわち、操作杆の長さが、大きなハンドルを回すのに適した長さに設定されているため、大きなハンドルを回せるだけではなく、固着したハンドルをも確実に回すことが可能となる。
【図面の簡単な説明】
【００１７】
【図１】この発明の実施の形態１に係るウィルキーを示す正面図である。
【図２】図１のウィルキーの挟持脚周辺を示す拡大図である。
【図３】図１のウィルキーを用いてハンドルを回転させている状態を示す平面図（ａ）と正面図（ｂ）である。
【図４】この発明の実施の形態２に係るウィルキーを示す正面図である。
【図５】図４のウィルキーの挟持脚周辺を示す拡大図である。
【図６】従来のウィルキーの正面図である。
【図７】図６のウィルキーを用いてハンドルを回転させている状態を示す平面図（ａ）と正面図（ｂ）である。
【発明を実施するための形態】
【００１８】
以下、この発明を図示の実施の形態に基づいて説明する。
【００１９】
（実施の形態１）
図１〜図３は、この実施の形態を示し、図１は、この実施の形態に係るウィルキー１を示す正面図である。このウィルキー１は、ハンドルを回すために使用する鉄鋼製の工具であり、主として、操作杆２と、２つの挟持脚３、４と、抜け止め部５と、を備える。ここで、この実施の形態では、弁１０５を開閉するためのハンドル１０４を回す場合について、主として説明する。このハンドル１０４は、図３に示すように、リング状の円環部１０４ａの中心部から、棒状の３つの直線部１０４ｂが放射線状に延び、円環部１０４ａと直線部１０４ｂとが接合部１０４ｃで接合されている。
【００２０】
操作杆２は、真っ直ぐに延びる丸棒状で、一端部側に挟持脚３、４が一体的に形成され、他端部側に円環状のフック２１が一体的に形成されている。
【００２１】
挟持脚３、４は丸棒状で、操作杆２の軸方向に対してほぼ垂直でかつ同一方向に延びている。そして、後述するようにして、ハンドル１０４の接合部１０４ｃを２つの挟持脚３、４で挟んで、操作杆２を回動させてハンドル１０４を回すものである。
【００２２】
このような挟持脚３、４間の距離・間隔が操作杆２側（根元側）から自由端側（先端側）に向かって長くなることで、大きさが異なるハンドル１０４を２つの挟持脚３、４で挟持可能となっている。すなわち、図２に示すように、挟持脚３、４は、操作杆２側が大径の円錐状（円錐台状）に形成され、対向する挟持脚３、４間の間隔が操作杆２側から自由端側に向かって広くなっている。
【００２３】
ここで、挟持脚３、４のテーパ角（円錐形状）と配設位置は、大きさが異なる複数のハンドル１０４を２つの挟持脚３、４で挟持できるように設定されている。例えば、操作杆２側での挟持脚３、４間の距離がＤ１となって、この位置で第１のハンドル１０４を挟め、自由端側での挟持脚３、４間の距離がＤ２となって、この位置で第２のハンドル１０４（第１のハンドル１０４よりも大きいハンドル）を挟めるように、挟持脚３、４の形状と位置が設定されている。
【００２４】
抜け止め部５は、挟持脚３、４の側面に一体的に設けられた凸状の突起物で、操作杆２を回動させた際にハンドル１０４の下部に位置して、挟持脚３、４がハンドル１０４から外れるのを抑制するものである。すなわち、挟持脚３、４でハンドル１０４を挟んだ状態で（ウィルキー１がハンドル１０４に対して多少動ける程度の挟持状態で）、ハンドル１０４の直下の両側に位置するように形成され、操作杆２を回動させるとハンドル１０４の直下に位置（係合）して、挟持脚３、４がハンドル１０４から外れるのを抑制する。
【００２５】
具体的には、上記の距離Ｄ１の位置でハンドル１０４を挟んだ状態で、ハンドル１０４の直下の挟持脚３、４の両側（挟持脚３、４の対向面部の左右両側であり、図２の手前側と奥側）に形成されている。同様に、上記の距離Ｄ２の位置でハンドル１０４を挟んだ状態で、ハンドル１０４の直下の挟持脚３、４の両側に形成されている。このように、各挟持脚３、４に４つの抜け止め部５が設けられ、距離Ｄ１、Ｄ２の位置において操作杆２を左右どちらに回動させても（ハンドル１０４を左右どちらから挟んでも）、ハンドル１０４の直下に抜け止め部５が位置して、挟持脚３、４がハンドル１０４から抜けるのを抑制・防止するようになっている。
【００２６】
一方、操作杆２の長さは、挟持脚３、４の自由端側でハンドル１０４を挟んだ状態で、該ハンドル１０４を回すのに要するトルクが得られるように設定されている。すなわち、挟持脚３、４間の距離が大きい自由端側で比較的大きなハンドル１０４を挟んだ状態で、このハンドル１０４を回すのに要する大きなトルクが得られるように、操作杆２の長さが設定されている。
【００２７】
具体的には、上記の距離Ｄ２の位置で比較的大きなハンドル１０４を挟んだ際に、このハンドル１０４を回すのに適した十分な長さに設定されている。従って、上記の距離Ｄ１の位置で比較的小さいハンドル１０４を挟んだ場合、このハンドル１０４を回すのに通常要するトルクよりも大きなトルクが得られる。つまり、比較的小さいハンドル１０４用の従来のウィルキーの操作杆の長さよりも長くなっている。
【００２８】
次に、このような構成のウィルキー１の作用などについて説明する。
【００２９】
このウィルキー１を使用してハンドル１０４を回すには、まず、挟持脚３、４でハンドル１０４の接合部１０４ｃを挟む。すなわち、図３に示すように、ハンドル１０４の円環部１０４ａと直線部１０４ｂが交わる部分に挟持脚３、４間を押し入れると、接合部１０４ｃの大きさに応じた位置で挟持脚３、４が接合部１０４ｃを挟む。例えば、ハンドル１０４が比較的小さい場合、上記の距離Ｄ１の位置で挟持脚３、４が接合部１０４ｃを挟む。また、ハンドル１０４が比較的大きい場合、上記の距離Ｄ２の位置で挟持脚３、４が接合部１０４ｃを挟む。
【００３０】
この状態では、ウィルキー１がハンドル１０４に対して多少動ける程度に、挟持脚３、４が接合部１０４ｃを挟持している。また、挟持脚３、４の抜け止め部５は、ハンドル１０４の直下の左右両側に位置し、ハンドル１０４に係合していない。
【００３１】
次に、操作杆２を回動させてハンドル１０４を回す。このとき、ウィルキー１がハンドル１０４に対して多少動いて、抜け止め部５がハンドル１０４の直下に位置（係合）し、挟持脚３、４がハンドル１０４から外れるのが抑制される。
【００３２】
以上のように、本ウィルキー１によれば、ハンドル１０４を挟む挟持脚３、４の位置を変えるだけで、１つのウィルキー１で複数の大きさのハンドル１０４に対応することができる。そして、挟持脚３、４が操作杆２に固定され挟持脚３、４を動かす必要がないため、ハンドル１０４を安定して回すことが可能で、しかも、容易かつ迅速に大きさが異なるハンドル１０４に対応することができ、使い勝手がよい。また、挟持脚３、４間の距離が操作杆２側から自由端側に向かって長くなっているだけであるため、構成が簡易で製造費を軽減することができ、しかも、堅牢、丈夫である。
【００３３】
さらに、挟持脚３、４が円錐状に形成されているため、挟持脚３、４間をハンドル１０４の接合部１０４ｃに押し入れるだけで、ハンドル１０４の大きさに応じた位置で２つの挟持脚３、４が接合部１０４ｃを挟み、容易かつ迅速に大きさが異なるハンドル１０４に対応することができ、使い勝手がよい。さらに、挟持脚３、４をハンドル１０４の接合部１０４ｃに押し込むことで、挟持脚３、４が接合部１０４ｃを強固に挟むため、挟持脚３、４がハンドル１０４から外れずにハンドル１０４を安定して回すことが可能となる。また、挟持脚３、４が円錐状に形成されているだけであるため、構成が簡易で製造費を軽減することができ、しかも、堅牢、丈夫である。
【００３４】
また、挟持脚３、４がハンドル１０４から外れるのを抑制する抜け止め部５が設けられているため、大きな力、トルクで操作杆２を回動させても、挟持脚３、４がハンドル１０４から外れずにハンドル１０４を安定して回すことが可能となる。
【００３５】
一方、挟持脚３、４間の距離が大きい挟持脚３、４の自由端側でハンドル１０４を挟んだ状態、つまり、大きなハンドル１０４を挟んだ状態で、このハンドル１０４を回すのに要するトルクが得られるように操作杆２の長さが設定されている。すなわち、操作杆２の長さが、大きなハンドル１０４を回すのに適した長さに設定されているため、大きなハンドル１０４を適正に回せるだけではなく、比較的小さいハンドル１０４などが固着した場合でも確実に回すことが可能となる。
【００３６】
（実施の形態２）
図４は、この実施の形態に係るウィルキー１０を示す正面図であり、図５は、このウィルキー１０の挟持脚６、７の周辺を示す拡大図である。この実施の形態では、挟持脚６、７の形状が実施の形態１の挟持脚３、４と異なり、実施の形態１と同等の構成については、同一符号を付することでその説明を省略する。
【００３７】
挟持脚６、７は、径が異なる３つの円柱を階段状に連結したような形状で、大きさが異なる３つのハンドル１０４を挟持可能となっている。すなわち、大径の円柱部６１、７１が操作杆２側に設けられ、中径の円柱部６２、７２が中央部に設けられ、小径の円柱部６３、７３が自由端側に設けられている。そして、操作杆２側での挟持脚６、７間の距離がＤ３、中央部での挟持脚６、７間の距離がＤ４、自由端側での挟持脚６、７間の距離がＤ５（Ｄ３＜Ｄ４＜Ｄ５）となっている。これにより、距離Ｄ５の位置で大きなハンドル１０４を挟め、距離Ｄ４の位置で中位のハンドル１０４を挟め、距離Ｄ３の位置で小さいハンドル１０４を挟めるものである。ここで、図示していないが、実施の形態１と同様に、挟持脚６、７の各円柱部６１〜６３、７１〜７３に抜け止め部５を設けてもよい。
【００３８】
この実施の形態によれば、実施の形態１と同様に、１つのウィルキー１０で複数の大きさのハンドル１０４に対応することができ、しかも、ハンドル１０４を安定して回すことが可能である。また、挟持脚６、７が階段状に形成されているため、どの部位でハンドル１０４を挟んでいるか、適正な部位でハンドル１０４を挟んでいるか、を容易に目視確認することができる。
【００３９】
以上、この発明の実施の形態について説明したが、具体的な構成は、上記の実施の形態に限られるものではなく、この発明の要旨を逸脱しない範囲の設計の変更等があっても、この発明に含まれる。例えば、実施の形態１では、大きさが異なる２つのハンドル１０４を挟持脚３、４で挟めるようになっているが、より多くのハンドル１０４を挟めるようにしてもよい。また、両挟持脚３、４に抜け止め部５を設けているが、ハンドル１０４を回すのに要する力、トルクなどによっては、一方の挟持脚３、４のみに設けてもよい。
【符号の説明】
【００４０】
１        ウィルキー
２        操作杆
３、４    挟持脚
５        抜け止め部
６、７    挟持脚
１０４    ハンドル
【図１】
0006507849.tif 000002
【図２】
0006507849.tif 000003
【図３】
0006507849.tif 000004
【図４】
0006507849.tif 000005
【図５】
0006507849.tif 000006
【図６】
0006507849.tif 000007
【図７】
0006507849.tif 000008